(57)【特許請求の範囲】
【請求項１】
建物の壁内に配設されて、内部を排水が流れる本体管部を備える排水用管体と、キャップと、化粧板とからなる排水装置であって、
前記本体管部は、前記排水が流れる方向に直交する断面形状が、前記壁の厚さ方向に比して前記壁に沿う方向に長く延びる形状となるように形成され、また、
前記排水用管体は、前記本体管部に、前記壁の表側に向かって開口するとともに、前記壁の表側に配備される表側排水管を接続するための第１の接続部を備え、
前記キャップは、前記第１の接続部に着脱可能に取り付けられ、
前記化粧板は、孔を備え、その孔から前記キャップが前記壁の表側に臨むようにしてその壁の表側に着脱可能に取り付けられることを特徴とする排水装置。
【請求項２】
請求項１に記載の排水装置であって、
前記第１の接続部は、前記本体管部の上部側に設けられ、また、
前記排水用管体は、前記本体管部の下部側に、床の下に配備される床下排水管が接続される、第２の接続部を備えることを特徴とする排水装置。
【請求項３】
請求項２に記載の排水装置であって、
前記本体管部の前記断面の内側空間面積は、前記表側排水管の、その延びる方向に直交する断面の内側空間面積以上となることを特徴とする排水装置。
【請求項４】
請求項２または３に記載の排水装置であって、
前記第２の接続部は、前記本体管部から、前記床にほぼ沿う方向に延びることを特徴とする排水装置。
【請求項５】
請求項４に記載の排水装置であって、
前記第２の接続部は、前記本体管部から、水平方向よりも下がる方向に突出するように延びて形成されていることを特徴とする排水装置。
【請求項６】
請求項２ないし５のいずれか１項に記載の排水装置であって、
前記本体管部に、その本体管部の内部を点検するための、前記壁の表側から開閉可能となる点検口が設けられることを特徴とする排水装置。
【請求項７】
請求項６に記載の排水装置であって、
前記点検口は、前記第１の接続部と前記第２の接続部との間に設けられることを特徴とする排水装置。
【発明の詳細な説明】
【０００１】
【発明の属する技術分野】
この発明は、建物の壁内に配設される排水装置に関するものである。
【０００２】
【従来の技術および発明が解決しようとする課題】
近年、建物の壁厚、特に住宅等の各部屋を仕切る壁厚が薄くなる傾向にある。そこで、従来においては、この薄くなった壁厚に合わせて、壁内に配設される排水管もまたその径を小さくせざるを得なかった。その結果、前記排水管における、必要な排水流量を確保することができず、特に、流しやトイレ等からの生活汚物を含む排水にあっては、管詰まりを起こす虞があり、その対策が望まれていた。
【０００３】
この発明は、上記した従来の欠点を解決するためになされたものであり、その目的とするところは、壁厚の薄い壁内に配設される場合であっても、必要な排水流量を確保することができる排水装置を提供することにある。
【０００４】
【課題を解決するための手段】
この発明に係る排水装置は、前記目的を達成するために、次の構成からなる。すなわち、
請求項１に記載の発明に係る排水装置は、建物の壁内に配設されて、内部を排水が流れる本体管部を備える排水用管体と、キャップと、化粧板とからなる。ここで、前記本体管部は、前記排水が流れる方向に直交する断面形状が、前記壁の厚さ方向に比して前記壁に沿う方向に長く延びる形状となるように形成されている。また、前記排水用管体は、前記本体管部に、前記壁の表側に向かって開口するとともに、前記壁の表側に配備される表側排水管を接続するための第１の接続部を備える。前記キャップは、前記第１の接続部に着脱可能に取り付けられる。そして、前記化粧板は、孔を備え、その孔から前記キャップが前記壁の表側に臨むようにしてその壁の表側に着脱可能に取り付けられる。こうして、本体管部は、排水が流れる方向に直交する断面形状が、壁の厚さ方向に比して壁に沿う方向に長く延びる形状となっているので、その本体管部の断面の内側空間面積を大きくすることができる。また、その結果、本体管部の内部を流れる排水流量を大きくすることができる。
【０００５】
また、請求項２に記載の発明に係る排水装置のように、前記第１の接続部は、前記本体管部の上部側に設けられ、また、前記排水用管体は、前記本体管部の下部側に、床の下に配備される床下排水管が接続される、第２の接続部を備えてもよい。こうして、この排水用管体が、本体管部の上部側に第１の接続部を備え、また、下部側に第２の接続部を備えることにより、第１の接続部に接続される表側排水管を流れる排水は、この本体管部に流れ込み、さらに、第２の接続部に接続される床下排水管に流される。
【０００６】
また、請求項３に記載の発明に係る排水装置のように、前記本体管部の前記断面の内側空間面積は、前記表側排水管の、その延びる方向、つまりは表側排水管の内部を流れる排水のその流れる方向に直交する断面の内側空間面積以上となるのが望ましい。これにより、表側排水管と比較して、本体管部における排水流量が十分に確保される。
【０００７】
また、請求項４に記載の発明に係る排水装置のように、前記第２の接続部は、前記本体管部から、前記床にほぼ沿う方向に延びてもよい。これにより、第２の接続部に接続される床下排水管を、床にほぼ沿うように配設することが容易となる。
また、請求項５に記載の発明に係る排水装置のように、前記第２の接続部は、前記本体管部から、水平方向よりも下がる方向に突出するように延びて形成されていてもよい。
【０００８】
また、請求項６に記載の発明に係る排水装置のように、前記本体管部に、その本体管部の内部を点検するための、前記壁の表側から開閉可能となる点検口が設けられてもよい。これにより、排水用管体が、管詰まりを起こした場合等において、点検口を開くことで、その点検口を介して本体管部の内部を点検するとともに前記管詰まりを取り除くことが可能となる。
【０００９】
また、請求項７に記載の発明に係る排水装置のように、前記点検口は、前記第１の接続部と前記第２の接続部との間に設けられるのが望ましい。これにより、本体管部の内部を点検する場合に、第１の接続部と第２の接続部との間の点検口を開くことで、内部の、第１の接続部回りおよび第２の接続部回りの点検を行うことができる。
【００１０】
【発明の実施の形態】
以下、この発明の実施の形態を図面に基づいて説明する。
【００１１】
図１ないし図５は、本発明の一実施の形態を示す。図中符号１は、建物の床である。２は、建物の間仕切用の壁であり、２枚の壁面パネル２ａ、２ｂが、胴縁２ｃの両側に宛てがわれるようにして固定されている。３は、壁２内に配設される排水用管体であり、内部を排水が流れる本体管部３ａを備えている。
【００１２】
この本体管部３ａは、中空の内部を排水が流れる方向に長手となる略直方体形状をしており、その長手方向が、例えば、上下方向となるようにして、壁２内に配設される。そして、本体管部３ａは、その長手方向である排水が流れる方向に直交する断面形状（図示実施の形態においては水平断面の形状）が、壁２の厚さ方向Ｘに比して壁２に沿う方向Ｙ、すなわち、前記壁２の厚さ方向Ｘに直交する方向Ｙに長く延びる形状（図示実施の形態においては長方形形状）となるように形成されている（図４参照）。さらに、図示実施の形態においては、本体管部３ａの前記断面の内側空間面積Ｓ１（図４参照）は、後述する表側排水管４の、その延びる方向に直交する断面の内側空間面積Ｓ２（図５参照）以上となるっている。そして、本体管部３ａには、その上端部分に、左右の両側に平板状に突出する取付部３ｂ、３ｂが設けられており、その取付部３ｂ、３ｂには、上下に貫通する取付孔３ｃ、３ｃが穿設されている。
【００１３】
また、排水用管体３は、本体管部３ａの上部側に、第１の接続部３ｄ、そして、本体管部３ａの下部側に、第２の接続部３ｅを備えている。第１の接続部３ｄは、壁２の表側に向かって開口するように、壁２の一方の壁面パネル２ａの裏面と対向する面３ｆから、その面３ｆと直交する方向（つまり水平方向）に筒状に突出するように延びて形成されている。そして、この第１の接続部３ｄには、壁２の表側に配備される表側排水管４が接続される。
【００１４】
第２の接続部３ｅは、本体管部３ａの、床１の下に通じる下部側の前記面３ｆから、その面３ｆと直交する方向（つまり水平方向）よりも若干下がる方向に筒状に突出するように延びて形成されており、その延びる方向は、床１にほぼ沿う方向となっている。そして、この第２の接続部３ｅには、床１の下に配備される床下排水管５が接続される。こうして、第１の接続部３ｄに接続される表側排水管４を流れる排水は、この排水用管体３の本体管部３ａに流れ込み、さらに、第２の接続部３ｅに接続される床下排水管５に流される。
【００１５】
また、本体管部３ａには、その本体管部３ａの内部を点検するための、壁２の表側から開閉可能となる点検口３ｇが設けられている。この点検口３ｇは、第１の接続部３ｄと第２の接続部３ｅとの間に位置し、壁２の表側に向かって開口するように、本体管部３ａの前記面３ｆから、その面３ｆと直交する方向（つまり水平方向）に、第１の接続部３ｄよりも短く、筒状に突出するように延びて形成されている。そして、この点検口３ｇには、内周面に雌ネジ部３ｈが螺設されている。さらに、この点検口３ｇには、表側から開閉可能となるように、前記雌ネジ部３ｈと螺合する雄ネジ部３ｉが外周面に螺設されるとともに外周面にオーリングからなるパッキン３ｊを備えた蓋部材３ｋが設けられている。
【００１６】
ここで、この排水用管体３は、予め、建物の壁２内に配設されるものであり、図３に示すように、本体管部３ａの第２の接続部３ｅが建物の床１の下に位置するようにして、２枚の壁面パネル２ａ、２ｂの間に配設される。また、これと同時に、床下排水管５が、この排水用管体３の第２の接続部３ｅに、接着等により固定されるようにして接続される。このとき、排水用管体３の第１の接続部３ｄは、壁面パネル２ａに穿設された第１の孔２ｄに挿入され、点検口３ｇは、蓋部材３ｋとともに、壁面パネル２ａに穿設された第２の孔２ｅに挿入される。そして、この排水用管体３の上面３ｍおよび取付部３ｂ、３ｂが壁２内の胴縁２ｃの下面に宛てがわれるようにして、固着具（図示せず）、例えば、取付孔３ｃを介して胴縁２ｃにねじ込まれる木ネジ等により、胴縁２ｃに取り付けられる。さらに、この第１の接続部３ｄには、キャップ６が、嵌め込まれるようにして取り付けられる。このとき、キャップ６は、第１の接続部３ｄの内周面に備えられたオーリングからなるパッキン３ｎに圧入されるようにして、着脱可能に取り付けられる。そして、壁面パネル２ａの表側には、化粧板７が、木ネジ等の固着具８、８により、着脱可能に取り付けられる。この化粧板７は、上下方向が長手方向となる略長方形平板形状をしており、その上部に穿設された孔７ａが、第１の接続部３ｄと嵌合し、その下部が、点検口３ｇを塞ぐ蓋部材３ｋを覆うようになっている。
【００１７】
そして、流し、トイレ等の器具（図示せず）を設置するにあたって、図２に示すように、その器具と第１の接続部３ｄとをつなぐように、表側排水管４が配備される。この際、キャップ６が第１の接続部３ｄから取り外されて、表側排水管４が、第１の接続部３ｄの内周面に備えられたパッキン３ｎに圧入されるようにして、その第１の接続部３ｄに着脱可能に接続される。ここで、本体管部３ａの内部を点検する場合には、化粧板７を壁面パネル２ａから取り外し、さらに、蓋部材３ｋを点検口３ｇから取り外すことにより、内部の点検が行われる。
【００１８】
次に、以上の構成からなる排水用管体３の作用効果について説明する。この排水用管体３の本体管部３ａは、排水が流れる方向に直交する断面形状が、壁２の厚さ方向Ｘに比して壁２に沿う方向Ｙに長く延びる形状となっているので、その本体管部３ａの断面の内側空間面積Ｓ１を大きくすることができる。また、その結果、本体管部３ａの内部を流れる排水流量を大きくすることができ、この排水用管体３が壁厚の薄い壁２内に配設される場合であっても、必要な排水流量を確保することができる。また、特に、図示実施の形態においては、本体管部３ａの断面の内側空間面積Ｓ１は、表側排水管４の、その延びる方向、つまりは表側排水管４の内部を流れる排水のその流れる方向に直交する断面の内側空間面積Ｓ２以上となっており、表側排水管４と比較して、本体管部３ａにおける排水流量が十分に確保される。
【００１９】
また、第１の接続部３ｄには、表側排水管４が着脱可能に接続される構造となっているので、流し、トイレ等の器具の設置を容易に行うことができる。また、第２の接続部３ｅは、本体管部３ａから、床１にほぼ沿う方向に延びており、第２の接続部３ｅに接続される床下排水管５を、床１にほぼ沿うように配設することが容易となっている。
【００２０】
また、本体管部３ａに、その本体管部３ａの内部を点検するための点検口３ｇが設けられており、この排水用管体３が、管詰まりを起こした場合等において、化粧板７を取り外すとともに、蓋部材３ｋを点検口３ｇから取り外すようにしてその点検口３ｇを開くことで、その開いた点検口３ｇを介して本体管部３ａの内部を点検するとともに前記管詰まりを取り除くことができる。さらに、点検口３ｇは、第１の接続部３ｄと第２の接続部３ｅとの間に設けられているので、この一つの点検口３ｇを開くだけで、本体管部３ａ内部の、特に管詰まりを起こしやすい、第１の接続部３ｄ回りの屈曲部および第２の接続部３ｅ回りの屈曲部の点検を行うことができる。
【００２１】
本発明は、上述した実施の形態に限定されるわけではなく、その他種々の変更が可能である。例えば、排水用管体３を、壁２の表側と床１の下とをつなぐための管体に適用するだけでなく、階上と階下とをつなぐための管体に適用してもよく、その他建物の壁２内に配設される管体全般に適用することができる。また、本体管部３ａの、排水が流れる方向に直交する断面形状は、長方形形状でなくとも、長円形形状等、壁２の厚さ方向Ｘに比して壁２に沿う方向Ｙに長く延びる形状であればどのような形状であってもよい。
【００２２】
また、点検口３ｇは、第１の接続部３ｄと第２の接続部３ｅとの間に設けるだけでなく、図６に示すように、さらに第１の接続部３ｄの上方に設けてもよく、また、第１の接続部３ｄと第２の接続部３ｅとの間に設けることなく第１の接続部３ｄの上方のみに設けてもよい。また、第１の接続部３ｄに、表側排水管４が着脱可能に接続されなくとも、接着等により固定されるようにして接続されてもよい。
【００２３】
また、第２の接続部３ｅは、本体管部３ａから床１にほぼ沿う方向に延びなくとも、図７に示すように、本体管部３ａから下方に延びるものであってもよい。この場合、第２の接続部３ｅには、例えば、略Ｔ字形状の管継手Ｋ１を介して、床下排水管５、５が接続されてもよい。
【００２４】
なお、排水用管体３は、建物内における排水位置を、将来の部屋の改装等に備えて変更できるように、その建物の建築時に予め設置する管体として好適に用いることができるが、そのような管体に限られないことは言うまでもない。
【００２５】
【発明の効果】
以上、詳述したところから明らかなように、この発明に係る排水装置によれば、次の効果がある。
【００２６】
請求項１に記載された排水装置によれば、排水が流れる方向に直交する、本体管部の断面の内側空間面積を大きくすることができるので、壁厚の薄い壁内に配設される場合であっても、必要な排水流量を確保することができる。
【００２７】
また、請求項２に記載された排水装置によれば、加えて、この排水用管体を介すことで、壁の表側に配備される表側排水管を流れる排水を、床の下に配備される床下排水管に流すことができる。
【００２８】
また、請求項３に記載された排水装置によれば、加えて、表側排水管と比較して、本体管部における排水流量を十分に確保することができる。
【００２９】
また、請求項４および５に記載された排水装置によれば、加えて、第２の接続部に接続される床下排水管を、容易に床にほぼ沿うように配設することができる。
【００３０】
また、請求項６に記載された排水装置によれば、加えて、排水用管体が、管詰まりを起こした場合等において、点検口を開くことで、本体管部の内部を点検するとともに前記管詰まりを取り除くことができる。
【００３１】
また、請求項７に記載された排水装置によれば、加えて、本体管部の内部を点検する場合に、点検口を開くことで、内部の、第１の接続部回りおよび第２の接続部回りの点検を行うことができる。
【図面の簡単な説明】
【図１】  この発明の一実施の形態の、分解斜視図である。
【図２】  同じく、排水用管体を壁内に配設して、表側排水管を接続した状態の縦断面図である。
【図３】  同じく、排水用管体を壁内に配設して、第１の接続部にキャップを取り付けた状態の縦断面図である。
【図４】  図２における、Ａ−Ａ線による拡大断面図である。
【図５】  図２における、Ｂ−Ｂ線による拡大断面図である。
【図６】  この発明の他の実施の形態の、排水用管体の斜視図である。
【図７】  この発明のさらに他の実施の形態の、縦断面図である。
【符号の説明】
１  床                          ２  壁
３  排水用管体                  ３ａ  本体管部
３ｄ  第１の接続部              ３ｅ  第２の接続部
３ｇ  点検口                    ４  表側排水管
５  床下排水管                  ６  キャップ
７  化粧板 ７ａ  孔
Ｓ１  内側空間面積              Ｓ２  内側空間面積
【図１】
0003719851.tif 000002
【図２】
0003719851.tif 000003
【図３】
0003719851.tif 000004
【図４】
0003719851.tif 000005
【図５】
0003719851.tif 000006
【図６】
0003719851.tif 000007
【図７】
0003719851.tif 000008